(57)【要約】      （修正有）【課題】帰還電圧信号内におけるノイズをより除去するＥＭＩノイズ・シールド装置を提供する。【解決手段】一つの第１の抵抗ユニットの一端により一つの第２の抵抗ユニットの一端と電気的に接続し、入力端を一つ形成し、一つの差動増幅ユニットを経由して該入力端からノイズを帯びる帰還電圧Ｖｆｂ信号を受信し、第１のフィルタ除去動作を行い、第１のノード電圧ＶＡ信号を生成し、更に一つの信号変換ユニットを経由して該第１のノード電圧ＶＡ信号を受信し、アナログ／デジタル信号変換動作および第２のフィルタ除去動作を行い、第２のノード電圧ＶＢ信号を生成し、最後に一つのデジタル制御ループ・ユニットを経由して該第２のノード電圧ＶＢ信号を受信し、判断動作および第３のフィルタ除去動作を行い、第３のノード電圧ＶＣ信号を生成し、該デジタル式電源制御システムの動作目的に影響を与えないまで該ノイズを帯びる帰還電圧Ｖｆｂ信号内のノイズ信号をより除去する。【選択図】図１
0003167117.tif 000002
【実用新案登録請求の範囲】
【請求項１】
ＥＭＩノイズ・シールド装置は、デジタル式電源制御システムに応用され、第１の抵抗ユニットと、その一端が該第１の抵抗ユニットの一端と電気的に接続して入力端を一つ形成してノイズを帯びる帰還電圧信号を受信するために用いられる第２の抵抗ユニットと、該ノイズを帯びる帰還電圧信号を受信して第１のフィルタ除去動作を行うために用いられ且つこれにより第１のノード電圧信号を生成する差動増幅ユニットと、該第１のノード電圧信号を受信してアナログ／デジタル信号変換動作および第２のフィルタ除去動作を行うために用いられ且つこれにより第２のノード電圧信号を生成する信号変換ユニットと、該第２のノード電圧信号を受信して判断動作および第３のフィルタ除去動作を行うために用いられ且つこれにより第３のノード電圧信号を生成するデジタル制御ループ・ユニットとを、含むことを特徴とする、ＥＭＩノイズ・シールド装置。
【請求項２】
該差動増幅ユニットは、入力ピンから、該入力端の受信する、該ノイズを帯びる帰還電圧信号を受信し、且つ他の入力ピンが該第２の抵抗ユニットの他端と電気的に接続することを特徴とする、請求項１に記載のＥＭＩノイズ・シールド装置。
【請求項３】
該差動増幅ユニットは、生成された第１のノード電圧信号を第１のノードへ出力することを特徴とする、請求項１に記載のＥＭＩノイズ・シールド装置。
【請求項４】
該信号変換ユニットの入力ピンは、該第１のノードから該第１のノード電圧信号を受信することを特徴とする、請求項３に記載のＥＭＩノイズ・シールド装置。
【請求項５】
該信号変換ユニットの他の入力ピンは、低準位参考電圧を受信することを特徴とする、請求項１に記載のＥＭＩノイズ・シールド装置。
【請求項６】
該信号変換ユニットは、生成された第２のノード電圧信号を第２のノードへ出力することを特徴とする、請求項１に記載のＥＭＩノイズ・シールド装置。
【請求項７】
該デジタル制御ループ・ユニットの入力ピンは、該第２のノードから該第２のノード電圧信号を受信することを特徴とする、請求項６に記載のＥＭＩノイズ・シールド装置。
【請求項８】
該デジタル制御ループ・ユニットは、生成された第３のノード電圧信号を第３のノードへ出力することを特徴とする、請求項１に記載のＥＭＩノイズ・シールド装置。
【考案の詳細な説明】
【技術分野】
【０００１】
本考案は、ＥＭＩノイズ・シールド装置に関するもので、特に帰還電圧（Vfb）信号内におけるノイズをより除去するＥＭＩノイズ・シールド装置を指す。
【背景技術】
【０００２】
故に、慣用のデジタル式電源制御装置は、電流／電圧値に対応する電源供給を出力して具備する必要があり、電器の使用に供し、これにより、電気回路を保護し、電器使用寿命および省エネルギー・省電力の効果を増進する。
【０００３】
但し、慣用のデジタル式電源制御装置中におけるデジタルPWM出力ユニットは、変調制御サイクル・ユニットから出力された複数のサンプリング制御信号を受信する時に、該等サンプリング信号に基づいて電源切替ユニットを調整・制御することにより、適当な定格電圧を出力して電器の作動に供するが、然しながら、該等サンプリング制御信号が、出力する前に通常増幅回路を経由して信号の増幅を行ってもよいが、従って該等サンプリング制御信号がノズルを帯び、該デジタルPWM出力ユニットが該等サンプリング制御信号に基づいて該電源切替ユニットにより出力されたアナログ・パルストレインのデューティ・サイクル（Duty Cycle）の調整・制御を行う時に、或い調整・制御できる時に、該電源切替ユニットは、該デジタルPWM出力ユニットから伝送された信号中のノイズにより干渉する恐れがあり、ひいては該信号中のハイ信号（High）をロー信号（Low）と判断ミスし、或いは該信号中のロー信号（Low）をハイ信号（High）と判断ミスし、調整・制御した後に該電源切替ユニットが出力するアナログ・パルストレインのデューティ・サイクル（Duty Cycle）の精確度を下げるように招き、該電源切替ユニットの出力する電圧が所要の定格電圧ではなく、ひいては該電器の正常な動作を提供できない。
【０００４】
故に、どのように該等サンプリング制御信号中におけるノイズ信号をより除去できるように提供するのは、該電源切替ユニットが調整制御の時に判断ミスの状況を招いてはいけなく、極めて業界の解決しようとする課題となる。
【考案の概要】
【考案が解決しようとする課題】
【０００５】
本考案の目的は、即ちＥＭＩノイズ・シールド装置を提供するもので、デジタル式電源制御システムに応用され、一つの第１の抵抗ユニットの一端により一つの第２の抵抗ユニットの一端と電気的に接続し、入力端を一つ形成し、一つの差動増幅ユニットを経由して該入力端からノイズを帯びる帰還電圧（Vfb）信号を受信し、第１のフィルタ除去動作を行うことにより、第１のノード電圧（VA）信号を生成し、更に一つの信号変換ユニットを経由して該第１のノード電圧（VA）信号を受信し、アナログ／デジタル信号変換動作および第２のフィルタ除去動作を行った後に、第２のノード電圧（VB）信号を生成し、最後に一つのデジタル制御ループ・ユニットから該第２のノード電圧（VB）信号を受信し、判断動作および第３のフィルタ除去動作を行い、これにより第３のノード電圧（VC）信号を生成し、ＥＭＩノイズ・シールド装置を介し、該デジタル式電源制御システムの動作目的に影響を与えないまで該ノイズを帯びる帰還電圧（Vfb）信号内のノイズ信号をより除去する。
【課題を解決するための手段】
【０００６】
前述の目的を達成するための技術手段は、第１の抵抗ユニットと、該第１の抵抗ユニットの一端と電気的に接続して入力端を一つ形成してノイズを帯びる帰還電圧信号を受信するために用いられる第２の抵抗ユニットと、入力ピンを有して該帰還電圧信号を受信して第１のフィルタ除去動作を行うために用いられ且つこれにより第１のノード電圧信号を生成する差動増幅ユニットと、入力ピンを有して該第１のノード電圧信号を受信してアナログ／デジタル信号変換動作および第２のフィルタ除去動作を行うために用いられ且つこれにより第２のノード電圧信号を生成する信号変換ユニットと、入力ピンを有して該第２のノード電圧信号を受信して判断動作および第３のフィルタ除去動作を行うために用いられ且つこれにより第３のノード電圧信号を生成するデジタル制御ループ・ユニットである。
【図面の簡単な説明】
【０００７】
【図１】本考案のＥＭＩノイズ・シールド装置の電気回路の模式図である。
【図２】本考案のＥＭＩノイズ・シールド装置のフィルタ前とフィルタ後の波形の模式図である。
【考案を実施するための形態】
【０００８】
審査官は、ひいては本考案の技術手段および動作過程をもっと認識かつ理解できるように寄与するために、実施例を挙げて図面に対応し、下記のように詳細に説明する。
【０００９】
図１を参照して示すように、これが本考案の提供するＥＭＩノイズ・シールド装置の電気回路の模式図であるが、該ＥＭＩノイズ・シールド装置は、デジタル式電源制御システムに応用され、第１の抵抗ユニット１１，第２の抵抗ユニット１２，差動増幅ユニット１３，信号変換ユニット１４とデジタル制御ループ・ユニット１５から構成され、該第１の抵抗ユニット１１の一端が該第２の抵抗ユニット１２の一端と電気的に接続し、入力端を一つ形成し且つノイズを帯びる帰還電圧（Vfb）信号を受信する。
【００１０】
該差動増幅ユニット１３の入力ピン１３１が該ノイズを帯びる帰還電圧（Vfb）信号を受信し、該差動増幅ユニット１３の他の入力ピン１３２が該第２の抵抗ユニット１２の他端と電気的に接続し、第１のフィルタ除去動作を行い、これにより、第１のノード電圧（VA）信号を生成する。
【００１１】
該信号変換ユニット１４の入力ピン１４１が該第１のノード電圧（VA）信号を受信し、該信号変換ユニット１４の他の入力ピン１４２が低準位参考電圧Vref-を受信し、アナログ／デジタル信号変換動作および第２のフィルタ除去動作を行い、これにより、第２のノード電圧（VB）信号を生成する。
【００１２】
該デジタル制御ループ・ユニット１５の入力ピン１５１が第２のノード電圧（VB）信号を受信し、判断動作および第３のフィルタ除去動作を行い、これにより、第３のノード電圧（VC）信号を生成する。
【００１３】
図２を参照して示すように、これが本考案の提供するＥＭＩノイズ・シールド装置のフィルタ前とフィルタ後の波形の模式図であるが、第１波形は、該ノイズを帯びる帰還電圧（Vfb）信号の電圧波形で、第２波形は、該ノイズを帯びる帰還電圧（Vfb）信号が該差動増幅ユニット１３の入力ピン１３１を経由して受信され且つ該第１のフィルタ除去動作を行った後に生成された該第１のノード電圧（VA）信号の電圧波形を第１のノードAへ出力する電圧波形で、第３波形は、該第１のノード電圧（VA）信号が該信号変換ユニット１４の入力ピン１４１を経由して該第１のノードAから受信され且つ該アナログ／デジタル信号変換動作および該第２のフィルタ除去動作を行った後に生成された該第２のノード電圧（VB）信号の電圧波形を第２のノードBへ出力する電圧波形で、第４波形は、該第２のノード電圧（VB）信号が該デジタル制御ループ・ユニット１５の入力ピン１５１を経由して該第２のノードBから受信され且つ該判断動作および該第３のフィルタ除去動作を行った後に生成された該第３のノード電圧（VC）信号の電圧波形を第３のノードCへ出力する電圧波形である。
【００１４】
該差動増幅ユニット１３は、受信される該ノイズを帯びる帰還電圧（Vfb）信号内に、小信号ノイズを有し、予め該第１のフィルタ除去動作にて除去された後に、該第１のノード電圧（VA）信号を生成し、更に該信号変換ユニット１４を経由して該アナログ／デジタル信号変換動作を行うことにより、該第１のノード電圧（VA）信号が、該アナログ／デジタル信号変換過程中にアナログ信号をデジタル信号（即ち「０」と「１」の信号）に変換できなければ、該第２のフィルタ除去動作を行い、デジタル信号に変換できないアナログ信号を除去し、更に該低準位参考電圧Vref-に基づいて低準位の電圧信号をも除去し、且つ該第２のノード電圧（VB）信号を生成し、そして該第２のノード電圧（VB）信号が最後に該デジタル制御ループ・ユニット１５を経由して該第２のノード電圧（VB）信号中の波形の幅の判断を行い、所要の幅に合致するかどうかを判断するが、該第２のノード電圧（VB）信号中に波形の幅が所要の幅に合致しなければ、幾らの幅の不足する波形をノズルと看做し、且つ該第３のフィルタ除去動作を行ってより除去し、所要の幅に合致する波形が、該デジタル制御ループ・ユニット１５を通過し、最後に該第３のノード電圧（VC）信号を生成する。
【００１５】
これにより了解できるように、本考案のＥＭＩノイズ・シールド装置は、該ノイズを帯びる帰還電圧（Vfb）信号中に有する小信号ノイズが、それぞれ該差動増幅ユニット１３，該信号変換ユニット１４と該デジタル制御ループ・ユニット１５を経由して該第１のフィルタ除去動作，該アナログ／デジタル信号変換動作，該第２のフィルタ除去動作，該判断動作と該第３のフィルタ除去動作を行うことにより、該ノイズを帯びる帰還電圧（Vfb）信号内のノイズ信号をより除去し、該デジタル式電源制御システムの動作に影響を与えない目的を、達成する。
【００１６】
以上の詳細な説明は、本考案に対して実行可能な実施例の具体的な説明で、但し該実施例が本考案の実用新案登録請求の範囲を限定するために用いられるものではなく、例えば本考案の技術精神をまだ逸脱しない下で完成された等価な実施または変更が、何れも本考案の実用新案登録請求の範囲中に含まれるべきである。
【符号の説明】
【００１７】
Ａ  第１のノード
Ｂ  第２のノード
Ｃ  第３のノード
ＶＡ  第１のノード電圧信号
ＶＢ  第２のノード電圧信号
ＶＣ  第３のノード電圧信号
Ｖｆｂ  ノイズを帯びる帰還電圧信号
Ｖｒｅｆ−  低準位参考電圧
１１  第１の抵抗ユニット
１２  第２の抵抗ユニット
１３  差動増幅ユニット
１４  信号変換ユニット
１５  デジタル制御ループ・ユニット
１３１  入力ピン
１３２  他の入力ピン
１４１  入力ピン
１４２  他の入力ピン
１５１  入力ピン
【図１】
0003167117.tif 000003
【図２】
0003167117.tif 000004